(57)【要約】【課題】  排ガス中に含まれているダイオキシンを効率よく分解処理することができる排ガス処理方法を提供する。【解決手段】  ６０〜７０℃に加温されたアルカリ洗浄液８を噴射するアルカリ温水洗浄塔５に、廃棄物を焼却処理する際に排出される排ガス３を送り込み、加温されたアルカリ洗浄液８を排ガスに接触させて、排ガス中のダイオキシンを含む有害ガスを吸着させると共に、分解して除去する。【選択図】      図１
2005087867.tif 000002
【特許請求の範囲】
【請求項１】
廃棄物を焼却処理する際に排出される排ガス中の有害ガスを処理する排ガス処理方法であって、
６０〜７０℃に加温されたアルカリ洗浄液を噴射するアルカリ温水洗浄塔に、廃棄物を焼却処理する際に排出される排ガスを送り込み、前記加温されたアルカリ洗浄液を前記排ガスに接触させて、前記排ガス中のダイオキシンを含む有害ガスを吸着させると共に、分解して除去する、
ことを特徴とする排ガス処理方法。
【発明の詳細な説明】
【技術分野】
【０００１】
本発明は、排ガス処理方法に係り、特に廃棄物を焼却処理する際に排出される排ガス中の有害ガスを処理する排ガス処理方法に関する。
【背景技術】
【０００２】
一般家庭ごみや産業廃棄物等の大部分は焼却炉で焼却処理されている。この際、排出される排ガス中には有害ガス（ダイオキシン、窒素酸化物等）が含まれている。
【０００３】
このため、従来、これらの有害ガスを除去処理するために、噴霧されるアルカリ液（洗浄液）中に排ガスを通して有害ガスを除去する排ガス処理装置が提案されている。（例えば、特許文献１参照。）。
【特許文献１】特開平９−２７６６４９号公報
【発明の開示】
【発明が解決しようとする課題】
【０００４】
ところで、上記特許文献１に開示されているような排ガス処理装置では、排ガスに洗浄液としてアルカリ液を噴射して、排ガス中の有害ガス（酸性ガス）を分解して除去するようにしているが、常温のアルカリ液では排ガス中に含まれているダイオキシンの分解効率が低く、排ガス中に含まれているダイオキシンを効率よく分解処理することができなかった。
【０００５】
そこで本発明は、排ガス中に含まれているダイオキシンを効率よく分解処理することができる排ガス処理方法を提供することを目的とする。
【課題を解決するための手段】
【０００６】
上記目的を達成するために本発明は、廃棄物を焼却処理する際に排出される排ガス中の有害ガスを処理する排ガス処理方法であって、６０〜７０℃に加温されたアルカリ洗浄液を噴射するアルカリ温水洗浄塔に、廃棄物を焼却処理する際に排出される排ガスを送り込み、前記加温されたアルカリ洗浄液を前記排ガスに接触させて、前記排ガス中のダイオキシンを含む有害ガスを吸着させると共に、分解して除去することを特徴としている。
【０００７】
（作用）
本発明によれば、アルカリ温水洗浄塔内に送り込まれる排ガスを、６０〜７０℃程度に加温したアルカリ液で排ガスを洗浄することによって排ガス中のダイオキシンの分解が促進されることによって、排ガス中のダイオキシンを殆ど除去することができる。
【発明の効果】
【０００８】
本発明の排ガス処理方法によれば、６０〜７０℃に加温されたアルカリ洗浄液を噴射するアルカリ温水洗浄塔に、廃棄物を焼却処理する際に排出される排ガスを送り込み、噴射される加温されたアルカリ洗浄液を排ガスに接触させることによって、排ガス中のダイオキシンの分解が促進されることによって、排ガス中のダイオキシンを殆ど除去することが可能となる。
【発明を実施するための最良の形態】
【０００９】
以下、本発明を図示の実施の形態に基づいて説明する。
【００１０】
図１は、本発明の実施の形態に係る排ガス処理方法によって排ガスの処理を行う排ガス処理装置を示す概略構成図である。図１に示す排ガス処理装置は、アルカリ温水洗浄塔５と蒸気洗浄塔９を備えており、焼却炉１で廃棄物を焼却する際に排出口２から排出される排ガス３は、ブロア４の作動によって排ガス導入口５ａからアルカリ温水洗浄塔５に送り込まれる。なお、本実施の形態における焼却炉１で焼却される廃棄物は、廃車からバンパー、エンジン、ガラス、タイヤ等のリサイクル可能な部材を選別して取り除いた残りの廃車ガラをシュレッダーによって細かく粉砕して得られたシュレッダーダストなどである。
【００１１】
アルカリ温水洗浄塔５内には、アルカリ洗浄液８を下方に向けて噴射する複数のノズル６と、各ノズル６の上方に設けた複数の細孔を有するアルカリ液分離部材７が設置されている。蒸気洗浄塔９内には、蒸気１１を下方に向けて噴射する複数のノズル１０が設置されている。
【００１２】
次に、本実施の形態に係る排ガス処理方法について説明する。
【００１３】
焼却炉１に投入された廃棄物（シュレッダーダスト）を燃焼処理すると排出口２から有害ガス（ダイオキシンなど）等を含んだ排ガス３が排出され、この排ガス３はブロア４の作動によって排ガス導入口５ａからアルカリ温水洗浄塔５に送り込まれる。
【００１４】
なお、焼却炉１の排出口２とブロア４間に、排ガス３を２次燃焼させる２次燃焼器（不図示）、高温の排ガスを急冷する冷却塔（不図示）、排ガス中の細かい塵を回収する徐塵機（不図示）等を設置することによって、有害ガスや塵の少ない排ガス３をアルカリ温水洗浄塔５に送り込むことができる。即ち、２次燃焼器（不図示）によって排ガス中のＣＯの低減や未燃ガスの燃焼を行い、冷却塔（不図示）によって高温（７００〜９００℃）の排ガスを８０〜１００℃程度に急冷してダイオキシンの生成を低減する。更に、徐塵機（不図示）によって排ガス中の粉塵を回収する。
【００１５】
アルカリ温水洗浄塔５内に送り込まれた排ガスは、各ノズル６から下方に向けて噴射される加温（６０〜７０℃程度）されたアルカリ洗浄液８によって洗浄される。ノズル６から噴射されるアルカリ洗浄液８は、例えば水に水酸化ナトリウム等を適量付加して成分調製されたアルカリ液であり、更に、本実施の形態では、このアルカリ液を６０〜７０℃程度に加温している。なお、アルカリ温水洗浄塔５内の下部に溜まったアルカリ洗浄液は回収され、一部は再処理して再利用される。
【００１６】
排ガスが加温されたアルカリ洗浄液８と接触することによって、排ガス中に含まれる粉塵や有害ガス（ＮＯｘ、ＳＯｘ、ＨＣｌ、ダイオキシン等）がミスト状態や水滴状態のアルカリ洗浄液に吸着され、更に、ダイオキシンの分解が促進された。本願発明者の実験によれば、常温のアルカリ液で排ガスを洗浄する場合に比べて、６０〜７０℃程度に加温したアルカリ液で排ガスを洗浄すると、排ガス中のダイオキシンが効率よく分解されることを確認した。
【００１７】
アルカリ温水洗浄塔５内で加温されたアルカリ洗浄液８によって粉塵や有害ガス（ＮＯｘ、ＳＯｘ、ＨＣｌ、ダイオキシン等）が除去された排ガスは、アルカリ液分離部材７の複数の細孔を通してアルカリ洗浄液が分離回収され、排ガス導入口９ａから蒸気洗浄塔９に送り込まれる。
【００１８】
蒸気洗浄塔９に送り込まれた排ガスは、各ノズル１０から下方に向けて噴霧される蒸気１１によって洗浄され、排ガス中に僅かに残留している粉塵や有害ガスを吸着して除去する。なお、蒸気洗浄塔９内の下部に溜まった水は回収され、一部は再処理して再利用される。
【００１９】
蒸気洗浄塔９内で噴射される蒸気１１によって僅かに残留している粉塵や有害ガスが吸収されて除去された排ガスは、水切りされた後にブロア１２の作動によって煙突１３から大気中に排出される。
【００２０】
このように、本実施の形態に係る排ガス処理方法では、アルカリ温水洗浄塔５内に送り込まれる排ガスを６０〜７０℃程度に加温したアルカリ洗浄液８で洗浄することによって、排ガス中のダイオキシンの分解が促進され、排ガス中のダイオキシンを殆ど除去することができた。
【００２１】
なお、上述した実施の形態では、廃車からバンパー、エンジン、ガラス、タイヤ等のリサイクル可能な部材を選別して取り除いた残りの廃車ガラをシュレッダーによって細かく粉砕して得られたシュレッダーダストを焼却した際の排ガスを処理する例について説明したが、生活ごみや産業廃棄物等を焼却した際の排ガスの処理についても同様に本発明を適用することができる。
【図面の簡単な説明】
【００２２】
【図１】本発明の実施の形態に係る排ガス処理方法によって排ガスの処理を行う排ガス処理装置を示す概略構成図。
【符号の説明】
【００２３】
１        焼却炉
２        排出口
３        排ガス
５        アルカリ温水洗浄塔
７        アルカリ液分離部材
８        アルカリ洗浄液
９        蒸気洗浄塔
１１      蒸気
【図１】
2005087867.tif 000003